(57)【要約】【課題】回転ドラムの回転振動が外部に伝播することを抑制して静粛な運転を実現し、また回転振動の作用による洗濯槽の変形を緩和して、脱水運転の高速化を図ることが可能な洗濯機を提供する。【解決手段】洗濯機は、有底円筒形の洗濯槽２の内部に同軸上にて回転する回転ドラム３を備えている。回転ドラム３を駆動するドラムモータ４は、モータホルダ５を介して洗濯槽２の底板の外側中央部に取付けてある。モータホルダ５は、洗濯槽２の底板に沿って延びる固定脚52と、固定脚52の端部から洗濯槽２の周壁に沿って延びる延長アーム53とを有しており、延長アーム53の先端部を周壁に固定することで洗濯槽２に取付け、回転ドラム３の回転振動による反力が洗濯槽２の周壁に加わるように構成する。【選択図】図２
2011234882.tif 000002
【特許請求の範囲】
【請求項１】
有底円筒形の洗濯槽の内部に、該洗濯槽と同軸上にて回転する回転ドラムを備え、該回転ドラムを駆動するドラムモータが前記洗濯槽の底板の外側中央部に取付けてある洗濯機において、
前記洗濯槽の底板外面に沿わせた固定脚と、該固定脚の端部から前記洗濯槽の周壁に沿って延び、該周壁に固定された延長部とを有し、前記ドラムモータを中心部に保持するモータホルダを備えることを特徴とする洗濯機。
【請求項２】
前記固定脚及び延長部は、前記ドラムモータの保持部の周囲に複数設けてある請求項１に記載の洗濯機。
【請求項３】
前記複数の延長部を前記洗濯槽の周面に沿って相互に連絡する補強環を備える請求項１又は請求項２に記載の洗濯機。
【請求項４】
前記延長部は、前記洗濯槽の周壁を、該周壁の内側に配した当て板との間に挾持して固定してある請求項１から請求項３のいずれか１つに記載の洗濯機。
【請求項５】
前記延長部は、前記洗濯槽の周壁外面に突設された支持ブラケットに固定してある請求項１から請求項３のいずれか１つに記載の洗濯機。
【発明の詳細な説明】
【技術分野】
【０００１】
本発明は、有底円筒形の洗濯槽の内部に、洗濯物を投入して回転する回転ドラムを備える洗濯機に関する。
【背景技術】
【０００２】
近年広く普及しているドラム式の洗濯機は、有底円筒形の洗濯槽を、一側の開口を上向き乃至横向きとした姿勢で外箱の内部に支持し、この洗濯槽の内部に有底円筒形の回転ドラムを、一側の開口を洗濯槽の開口と同側に向けて配し、該回転ドラムをドラムモータにより洗濯槽と同軸上にて回転駆動するように構成されている。洗濯物は、回転ドラムの内部に投入され、洗濯槽の底部に溜まる洗濯水中に浸されて、回転ドラムの回転による持ち上げ及び落下を繰り返して洗濯され、その後の、濯ぎ、脱水、及び乾燥を経て仕上げられる。
【０００３】
ドラムモータは、一般的に、洗濯槽の底板の外側に取り付けてある。ドラムモータの回転軸は、洗濯槽の底板を貫通し、該底板の内面中央部に突出しており、洗濯槽内の回転ドラムは、回転軸の突出端部に直結支持されている。
【０００４】
この種の洗濯機においては、回転ドラムが内部に偏在する洗濯物と共に回転することにより振動が発生し、この振動が、ドラムモータを取り付けた洗濯水槽に伝わり、更に、洗濯水槽を支持する外箱に伝播して、該振動が使用者に体感され、また振動音が発生し運転音が大きくなるという問題がある。
【０００５】
この問題に対応するため、従来においては、ダンパ及びバネを組み合わせてなる複数本の支持脚により洗濯槽を弾性支持し、これらの支持脚により洗濯槽の振動を吸収して、該振動が外箱に伝わり難くする一方、回転ドラムを回転駆動するドラムモータ及びその回転軸の支持強度を高め、振動の発生を抑え、また発生した振動が洗濯槽に伝わり難くする等の振動緩和対策が採用されている（例えば、特許文献１、２参照）。
【０００６】
特許文献１に開示された洗濯機においては、ドラムモータが取付けられる洗濯槽の底板を、その全面に設けた多数の補強用のリブにより強化する一方、該底板の中心部に一体形成された筒形の軸受ハウジングの内部にドラムモータの回転軸を支持し、底板の外側への回転軸の突出端部に取付けたロータと、底板の外面に固定したステータとによりドラムモータを構成してある。即ち、洗濯槽の底板を強化することにより、ドラムモータ及びその回転軸の支持強度を確保して振動の緩和を図っている。
【０００７】
また特許文献２に開示された洗濯機においては、ドラムモータの回転軸を支持する筒形の軸受ハウジングの外側に、円板形のステータ支持板と、該ステータ支持板から放射状に延びる複数本の固定脚とを設けてなるモータホルダを使用し、このモータホルダを、複数の固定脚の夫々を洗濯槽の底板の外面に沿わせて固定し、洗濯槽の内側に突出する回転軸の端部を回転ドラムに連結し、また洗濯槽の外側への回転軸の突出端部にロータを取付け、またステータ支持板にステータを固定支持してドラムモータを構成してある。即ち、洗濯槽と別体のモータホルダに回転軸を支持し、該モータホルダを洗濯槽の底板全面に固定することにより、ドラムモータ及びその回転軸の支持強度を確保して振動の緩和を図っている。
【先行技術文献】
【特許文献】
【０００８】
【特許文献１】特開２００４−１２１３２０号公報
【特許文献２】特開２００１−１７８９８９号公報
【発明の概要】
【発明が解決しようとする課題】
【０００９】
さてドラム式の洗濯機においては、成形が容易であり、また軽量化が可能なことから、一般的に合成樹脂製の洗濯槽が使用されている。特許文献１においては、洗濯水槽の底板にリブを設け、該底板を強化することにより振動の抑制を図っているが、洗濯槽が合成樹脂製である場合、リブによる底板の強化には限界があり、十分な振動緩和効果を得ることは難しい。
【００１０】
特許文献２においては、金属（アルミニウム合金）製のモータホルダを使用しており、該モータホルダ自体の強度は十分に確保し得るが、このモータホルダは、合成樹脂製の底板に固定されていることから、回転ドラムの回転時に発生する振動は、モータホルダを介して洗濯槽の底板に伝わり、該底板の変形を誘発することとなり、洗濯槽への振動の伝播を抑える効果は小さく、十分な振動緩和効果を得ることは難しい。
【００１１】
また特許文献２に開示された洗濯機においては、洗濯槽の底板の変形が、例えば、回転ドラムが高速回転する脱水時に顕著となるため、脱水運転の所要時間を高速化により短縮することが難しいという問題もある。
【００１２】
本発明は斯かる事情に鑑みてなされたものであり、回転ドラムの回転により発生する振動が外部に伝播することを抑制し、振動及び音を抑制した静粛な運転が可能であり、また前記振動による洗濯槽の変形を緩和し、脱水運転の高速化を図ることが可能な洗濯機を提供することを目的とする。
【課題を解決するための手段】
【００１３】
本発明に係る洗濯機は、有底円筒形の洗濯槽の内部に、該洗濯槽と同軸上にて回転する回転ドラムを備え、該回転ドラムを駆動するドラムモータが前記洗濯槽の底板の外側中央部に取付けてある洗濯機において、前記洗濯槽の底板外面に沿わせた固定脚と、該固定脚の端部から前記洗濯槽の周壁に沿って延び、該周壁に固定された延長部とを有し、前記ドラムモータを中心部に保持するモータホルダを備えることを特徴とする。
【００１４】
本発明においては、回転ドラムを回転駆動するドラムモータを中央部に保持するモータホルダに、洗濯槽の底板外面に沿って延びる固定脚と、該固定脚の端部から洗濯槽の周壁に沿って延びる延長部とを設け、該延長部を洗濯槽の周壁に固定して、回転ドラムの回転振動による反力の一部又は全部が延長部の固定位置に加わるように構成する。この固定位置は、加振力が加わるドラムモータの回転軸の支持位置から遠いから、反力自体を小さく抑えることができる。また前記反力は、洗濯槽の周壁に軸長方向の力として加わる一方、円筒形をなす洗濯槽の周壁は、軸方向の作用力に対して高い剛性を有しており、変形を軽微に抑えることができる。従って、洗濯槽を支持する外箱を介して外部に伝わる振動を抑制し、また脱水運転の高速化を図ることが可能となる。
【００１５】
また本発明に係る洗濯機は、前記固定脚及び延長部が、前記ドラムモータの保持部の周囲に複数設けてあることを特徴とする。
【００１６】
この発明においては、ドラムモータの保持部の周囲に固定脚及び延長部を複数設け、夫々の延長部を洗濯槽の周壁に固定して、回転ドラムの回転振動による加振力を複数の固定位置で分散して支え、洗濯槽の変形を一層軽減する。
【００１７】
また本発明に係る洗濯機は、前記複数の延長部を前記洗濯槽の周面に沿って相互に連絡する補強環を備えることを特徴とする。
【００１８】
この発明においては、複数の延長部を補強環により連絡し、モータホルダの固定脚及び延長部の周方向力に対する強度を高め、ドラムモータの保持強度を確保する。
【００１９】
また本発明に係る洗濯機は、前記延長部が、前記洗濯槽の周壁を、該周壁の内側に配した当て板との間に挾持して固定してあることを特徴とする。
【００２０】
この発明においては、洗濯槽の周壁を、これの外側に沿って延びる保持脚の延長部と、内側に配した当て板との間に挾持し、保持脚及び延長部を備えるモータホルダと洗濯槽とを強固に一体化する。延長部と当て板とは、例えば、これらと洗濯槽の周壁とを貫通するボルトの締め付けにより一体化する。
【００２１】
また本発明に係る洗濯機は、前記延長部が、前記洗濯槽の周壁外面に突設された支持ブラケットに固定してあることを特徴とする。
【００２２】
この発明においては、洗濯槽の周壁外面に支持ブラケットを突設し、この支持ブラケットに延長部を固定して、洗濯槽の外側のみで固定を完了する。この固定は、固定ボルトの締め付け、又は支持ブラケットに対する嵌め込みにより実現する。
【発明の効果】
【００２３】
本発明に係る洗濯機においては、ドラムモータを保持するモータブラケットに洗濯槽の底板に沿って延びる保持脚を連設し、該保持脚に洗濯槽の周壁に沿って延びる延長部を設け、この延長部を洗濯槽の周壁に固定することでドラムモータを洗濯槽に取付けてあり、延長部の固定位置は、回転ドラムの回転に伴う加振力が加わるドラムモータの回転軸の支持位置から遠いから、前記固定位置に作用する反力を小さく抑えることができる上、円筒形をなす洗濯槽の周壁は、前記反力の作用方向に対して高い剛性を有しており、回転ドラムの振動を軽微な変形で支えることができる。従って、洗濯槽を支持する外箱を介して外部に伝わる振動を軽減して静粛な運転を実現し、また脱水運転の高速化による運転時間の短縮を実現することが可能となる。
【図面の簡単な説明】
【００２４】
【図１】本発明に係る洗濯機の外観を略示する斜視図である。
【図２】本発明に係る洗濯機の内部構成を略示する縦断面図である。
【図３】ドラムモータの取付け部分の拡大断面図である。
【図４】モータホルダの詳細構造を示す平面図である。
【図５】モータホルダの他の実施の形態を略示する斜視図である。
【図６】延長アームの他の固定形態の説明図である。
【図７】延長アームの他の固定形態の説明図である。
【発明を実施するための形態】
【００２５】
以下本発明をその実施の形態を示す図面に基づいて詳述する。図１は、本発明に係る洗濯機の外観を略示する斜視図、図２は、本発明に係る洗濯機の内部構成を略示する縦断面図である。
【００２６】
本発明に係る洗濯機は、図２に示すように、外装を構成する外箱１の内部に洗濯槽２を備えている。洗濯槽２は、洗濯物Ａの投入のための開口20を一側に備える大径の有底円筒体であり、外箱１の底面に立設された複数本の支持脚21（１本のみ図示）により、前記開口20の側を上として軸心を傾けた傾斜姿勢にて弾性支持されている。外箱１の前面（図２における左側面）には、洗濯槽２の前記開口20に臨むように、前蓋10により開閉自在に洗濯物の投入口11が開設されており、該投入口11と前記開口20との間は、ゴム等の弾性材料製のベローズ12により液密に封止されている。
【００２７】
洗濯槽２の内部には、回転ドラム３が同軸をなして支持されている。回転ドラム３は、洗濯槽２よりもやや小径の有底円筒体であり、一側には洗濯物Ａの投入のための開口30が開設されている。このような回転ドラム３は、その開口30を洗濯槽２の開口20の内側に合わせ、洗濯槽２の底板外面の中央部に後述するように設けられたドラムモータ４の出力端に連結してあり、該ドラムモータ４の駆動により、洗濯槽２の内部にて回転するように構成されている。
【００２８】
回転ドラム３は、開口30の外側に周設された流体バランサ31を備えている。この流体バランサ31は、回転ドラム３の回転時に、これに伴う振動を吸収、緩和する作用をなす。また回転ドラム３の周壁には、これを貫通する多数の小孔32が全面に亘って設けてあり、更に、回転ドラム３の周壁内面には、軸長方向に延びるバッフル33が、周方向に等配をなして複数突設されている。なお図２中には、多数の小孔32のうちの一部と、１つのバッフル33のみが図示されている。
【００２９】
以上の如く構成された洗濯機の洗濯運転は、外箱１前面の前蓋10の開操作により投入口11を開放して洗濯物Ａを投入し、前蓋10の閉操作により投入口11を閉止した後、洗濯槽２の内部に洗濯水を後述するように給水し、ドラムモータ４を駆動して回転ドラム３を低速度で回転せしめて行われる。
【００３０】
図１に示すように、外箱１の前面には、前蓋10の近傍にドア開ボタン13が設けてあり、前蓋10は、ドア開ボタン13を押圧操作することにより開放される。また前蓋10には、閉止時に押圧する位置を示す押圧部14が設けてあり、前蓋10は、その周縁部を把持して投入口11に合わせる位置まで閉操作し、前記押圧部14を外側から押すことにより閉止される。
【００３１】
外箱１の投入口11は、洗濯槽２及び回転ドラム３の開口20，30に臨ませてあり、投入口11から投入された洗濯物Ａは、回転ドラム３の内部に導入され、該回転ドラム３の底部近傍に図２中に破線により示すように位置する。回転ドラム３の内部には、周面に設けた小孔32から洗濯槽２の内部の洗濯水が流入し、また回転ドラム３の内面には、バッフル33が突設されているため、洗濯物Ａは、回転ドラム３内に流入する洗濯水中に浸され、該回転ドラム３の回転に伴ってバッフル33の作用による持ち上げ及び落下を繰り返し、回転ドラム３の内周面に繰り返し叩き付けられて洗濯される。
【００３２】
図１に示すように、外箱１前面の上部には、各種の操作のための操作キー及び各種の表示のための表示部を備える操作パネル15が設けてある。該操作パネル15は、これの内側に位置して外箱１の内部に設けた運転制御部16（図２参照）に接続してあり、前述した洗濯運転、並びに、洗濯運転の終了後の濯ぎ運転及び脱水運転は、操作パネル15の操作に応じた運転制御部16の動作により、個々に独立した運転、又は相互に関連した一連の運転として実行される。
【００３３】
濯ぎ運転は、洗濯槽２の内部に洗剤を含まない濯ぎ水を供給し、回転ドラム３を低速回転せしめて行われる。洗濯物Ａは、回転ドラム３内に入り込む濯ぎ水中に中に浸され、洗濯運転時と同様に、回転ドラム３内での持ち上げ、落下を繰り返すことで濯がれる。脱水運転は、洗濯槽２内の水を排水し、回転ドラム３を高速回転せしめて行われる。洗濯物Ａは、回転ドラム３の周面に付着した状態で回転し、該洗濯物Ａに含まれる水は、遠心力の作用により周面に設けた小孔32，32…を通って洗濯槽２内に流出して排出される。この脱水運転は、濯ぎ運転の前にも実施される。濯ぎ運転は、脱水運転と組み合わせて複数回繰り返される。
【００３４】
図１、図２に示すように外箱１の後部上面には、給水口17が設けてある。この給水口17は、外箱１の内部において給水弁18に接続してある。給水口17は、耐圧ホースを介して給水源（水道）に接続可能である。給水弁18は、複数の給水出口を備える多連形の電磁弁である。該給水弁18の第１給水出口は、給水管19を介して洗濯槽２の上部周面に接続してあり、洗濯槽２内への洗濯水の給水は、給水口17を給水源に接続し、給水弁18を第１給水出口に切換えることにより実現される。なお、公知のように、給水管19の途中に洗剤ケースを介装し、給水管19内を流れる水を洗剤ケース内に通すことにより、該洗剤ケース内に予め供給された適量の洗剤を含む洗濯水を洗濯槽２内に給水することも可能である。
【００３５】
また洗濯槽２には、最下位置となる底板近傍の周面に開口する排水口を備えており、該排水口は、外箱１内側の前下部に配された筒形のフィルタケース23に導水管22を介して接続されている。フィルタケース23の内部には、繊維屑等の異物を捕捉するリントフィルタ24が収容されている。フィルタケース23の下部は、排水弁25を介して外箱１の底面に沿って敷設された排水管26に接続されている。またフィルタケース23の後部には、循環ポンプ27が取付けてあり、該循環ポンプ27には、循環水管28の一端が接続されている。循環水管28は、洗濯槽２の前部に沿って上方に延長され、該洗濯槽２の前上部に回転ドラム３の内側に臨ませて設けられたシャワーヘッド29に接続してある。
【００３６】
洗濯槽２内に給水される洗濯水は、導水管22を経てフィルタケース23に導入され、該フィルタケース23の内部に充満する。循環ポンプ27は、例えば、前述した洗濯運転中に連続的又は間欠的に駆動される。この駆動によりフィルタケース23内の洗濯水は、循環ポンプ27に吸い込まれて加圧され、循環水管28を経て洗濯槽２の前上部に送水されて、シャワーヘッド29を経て回転ドラム３内の洗濯物Ａに降り注ぎ、該洗濯物Ａの洗浄効果を高めるように作用する。フィルタケース23の内部に設けたリントフィルタ24は、以上のように循環する洗濯水中に含まれる繊維屑等の異物を捕捉、除去する作用をなす。なお循環ポンプ27は、前述した濯ぎ運転中にも濯ぎ水を循環させ、洗濯物Ａの濯ぎ効果を高めるべく駆動される。
【００３７】
フィルタケース23の下部に設けられた排水弁25は、洗濯運転の終了後に開放される。この開放により洗濯槽２内部の洗濯水は、導水管22及びフィルタケース23を経て排水管26に排水される。排水弁25は、濯ぎ運転の途中及び終了後においても、洗濯槽２内部の濯ぎ水を排水すべく開放され、更に、脱水運転中においても、洗濯物Ａからの脱水を排水すべく開放される。これらの排水に際しても、排水中に含まれる異物は、フィルタケース23内のリントフィルタ24に捕捉、除去されるから、排水管26を経て公共下水道に異物が排出される虞れを回避し、環境負荷の軽減を図ることができる。
【００３８】
本発明に係る洗濯機の特徴は、回転ドラム３を回転駆動するドラムモータ４の取付け構造にあり、ドラムモータ４は、図２に示すように、洗濯槽２の底板の外面にモータホルダ５を介して取付けてある。図３は、ドラムモータ４の取付け部分の拡大断面図、図４は、モータホルダの詳細構造を示す平面図である。
【００３９】
図２及び図３に示すように、モータホルダ５は、その中央に円筒形をなす軸受ハウジング50を備えている。軸受ハウジング50の外側には、円板状をなすステータ支持板51が周設されており、該ステータ支持板51には、半径方向外向きに延びる固定脚52が連設してある。この固定脚52の先端部は、略直角に曲げられ、軸受ハウジング50及びステータ支持板51の軸方向に延びる延長アーム53が連設してある。
【００４０】
図４に示すように固定脚52は、ステータ支持板51の外周において、周方向に等配をなす位置に４本設けてあり、図２及び図３に示す延長アーム53は、夫々の固定脚52，52…の先端部に連設してある。図４に示すように、ステータ支持板51及び固定脚52，52…の表面には、多数の補強用のリブが設けてあり、十分な強度を確保した上で、本体の薄肉化による軽量化が図られている。図２及び図３中には、ステータ支持板51の一面に設けられたリブのみを図示し、他のリブの図示を省略してある。固定脚52は、図４に示す４本に限らず、複数本であればよいが、後述する固定を確実に行わせためには、３本以上の固定脚52を設ける必要がある。
【００４１】
なお、図２及び図３に示すモータホルダ５は、軸受ハウジング50、ステータ支持板51、固定脚52及び延長アーム53の全てを一体に備えているが、軸受ハウジング50、ステータ支持板51、固定脚52及び延長アーム53の一部又は全部を別部材とし、相互に結合してモータホルダ５を構成することもできる。またモータホルダ５は、高強度と軽量化とを図るべく、アルミニウム合金等の軽量金属製とするのが望ましいが、一部又は全部を他の金属製、又は合成樹脂製としてもよい。
【００４２】
以上のように構成されたモータホルダ５は、図２及び図３に示すように、延長アーム53の突設側を先として洗濯槽２の外側に嵌め合わせ、図３に示すように、固定脚52の中途に設けたボス部55を洗濯槽２の底板に当て、また延長アーム53の先端部に内向き（軸受ハウジング50及びステータ支持板51の中心向き）に突設されたボス部56を洗濯槽２の周壁外面に当てて、ボス部55，56に夫々通した固定ボルト57，57により洗濯槽２に固定してある。なおボス部55，56は、洗濯槽２の外側に突設されていてもよい。
【００４３】
この固定は、図３に示すように、洗濯槽２の内側の固定ボルト57が挿通される位置に当て板58を配し、洗濯槽２内に突出する固定ボルト57の先端を当て板58の該当位置に設けた通孔に通し、該固定ボルト57の突出端に固定ナット59を螺合して締め付けることにより、固定脚52と当て板58との間に洗濯槽２の底板を、また延長アーム53と当て板58との間に洗濯槽２の周壁を夫々挾持してなされている。このような固定により、金属製のモータホルダ５と合成樹脂製の洗濯槽２とを強固に一体化することができる。
【００４４】
図３においては、洗濯槽２の底板から周壁の中途に亘って延びる長寸の当て板58を、固定脚52及び延長アーム53の固定に共用しているが、夫々の固定ボルト57の挿通位置に各別の当て板58を使用してもよく、また逆に、洗濯槽２の底板及び周壁の内側を覆う筒形の当て板58を使用し、モータホルダ５全体の固定を１つの当て板58で行わせてもよい。更に、当て板58を使用せず、洗濯槽２の底板に固定脚52を、また洗濯槽２の周壁に延長アーム53を夫々直接固定してもよい。
【００４５】
図３に示すように、洗濯槽２の底板の中心部には、円形の窓孔2aが開設されており、前述の如く固定されたモータホルダ５の中央に設けられた軸受ハウジング50は、窓孔2aの周縁部にシール部材2bを介して嵌め込まれている。該軸受ハウジング50の内部には、軸長方向の両端部に内嵌固定された玉軸受60，61により、同軸上での回転を自在とし、また軸長方向の移動を不可として回転軸６が支持されている。
【００４６】
回転軸６の一端部は、前記窓孔2aを通して洗濯槽２の内部に突出しており、この突出端は、回転ドラム３の底板に同軸をなして固定してある。また回転軸６の他端部は、軸受ハウジング50の同側端部から洗濯槽２の外部に突出しており、この突出部には、円形のロータ板40が嵌め込み固定されている。該ロータ板40は、その外側にロータマグネット41を固設してドラムモータ４のロータを構成している。一方、軸受ハウジング50の外側に設けたステータ支持板51には、ロータ板40の外側を囲繞するようにステータ環42が周設されている。ステータ環42は、その内側にステータコイル43を固定し、ドラムモータ４のステータを構成している。
【００４７】
ドラムモータ４は、ブラシレスＤＣモータであり、ロータマグネット41を備えるロータ板40は、ステータコイル43の通電を制御することにより適宜の回転速度にて回転する。この回転は、ロータ板40が固定された回転軸６を介して回転ドラム３に伝わり、該回転ドラム３は、洗濯槽２の内部で回転する。
【００４８】
回転ドラム３は、前述したように、洗濯運転及び濯ぎ運転中には低速度にて回転し、脱水運転中には高速度にて回転する。このとき、回転ドラム３の内部に洗濯物Ａが存在しており、該洗濯物Ａは、多くの場合、回転ドラム３の内部で均等に分布していない上、洗濯水又は濯ぎ水を含んで適宜の重量を有していることから、回転ドラム３は、回転に伴って振動する。
【００４９】
このように発生する回転ドラム３の振動は、ドラムモータ４の回転軸６を介してモータホルダ５に伝播する。回転ドラム３は、図３に示すように、回転軸６の一端部に固定支持されており、該回転軸６は、回転ドラム３の振動伝播により、回転ドラム３側の玉軸受60の支持部を支点として加振され、他側の玉軸受61の支持位置に、図３中にＦ1 として示すように加振力が作用する。この加振力Ｆ1 は、軸受ハウジング50に周設されたモータホルダ５に伝播し、該モータホルダ５の支持部に、前記支点の周りに逆向きのモーメントを発生させる反力が加わる。
【００５０】
この反力は、固定脚52の中途の支持部においては、図３中にＦ2 として示す向きに、延長アーム53の先端の支持部においては、図３中にＦ3 として向きに夫々加わる。ここで、延長アーム53の先端部に加わる反力Ｆ3 は、その作用位置が支点（玉軸受60の位置）から遠く、モーメントアームが長いことから、加振力Ｆ1 に比して十分に小さい。また前記反力Ｆ3 は、図３に示すように、延長アーム53の先端部が支持された洗濯槽２の周壁に軸長方向の力として作用するが、前述のように円筒形状を有する洗濯槽２の周壁は、反力Ｆ3 の作用方向に対して高い剛性を有している。
【００５１】
従って、洗濯槽２は、モータホルダ５に加わる加振力Ｆ1 を余裕を持って支えることができ、洗濯槽２の振動は軽微に抑えられ、支持脚21を介して外箱１に伝播する振動が軽減されるから、本発明に係る洗濯機においては、外部への振動の伝播を抑えて、特に、回転ドラム３が高速回転する脱水運転時に、運転音及び振動を軽減した静粛な運転を実現することができる。また洗濯槽２の底板は、加振力加振力Ｆ1 の一部（反力Ｆ2 の相当分）を支えればよく、本発明に係る洗濯機においては、洗濯槽２の底板の変形を軽微に抑えることが可能となり、脱水運転時に回転ドラム３の回転速度を高めて脱水性能を向上し、脱水運転を含めた運転時間の短縮を実現することができる。
【００５２】
以上の実施の形態において、モータホルダ５は、延長アーム53を含めて長大となる固定脚52の強度確保が必要となる。図５は、モータホルダ５の他の実施の形態を略示する斜視図である。このモータホルダ５は、４本の固定脚52，52…から延びる延長アーム53，53…を、夫々の先端部近傍にて相互に連結する補強環 53aを備えている。このように設けられた補強環 53aは、周方向及び径方向に加わる力に対する延長アーム53，53…の強度を高める作用をなすから、延長アーム53，53…を備える固定脚52，52…全体の強度を高め、より有効に振動を抑制することが可能となる。
【００５３】
また、図５に示すモータホルダ５においては、固定脚52，52…の強度を損なわずに延長アーム53，53…を更に延ばすことができ、このような延長アーム53，53…を洗濯槽２の周壁の複数箇所に固定することにより、洗濯槽２自体の強度を高めることも可能となる。
【００５４】
延長アーム53は、図２、３に示す形態に限らず、他の形態にて洗濯槽２の周壁外面に固定してもよい。図６、図７は、延長アーム53の他の固定形態の説明図である。
【００５５】
図６において、洗濯槽２の周壁外面の固定部位には、前後方向に延びる一対の支持ブラケット2b，2bが、周方向に間隔を隔てて対向するように設けてあり、また延長アーム53の先端部には、洗濯槽２との対向面の幅方向の中央部に、長手方向に延びる固定片 53bが内向きに突設されている。延長アーム53は、図６中に矢符により示すように、支持ブラケット2b，2bの間に固定片 53bを差し込み、これらに設けられたボルト孔に挿通した固定ボルト 57a,57aと、これらのネジ部に螺合する固定ナット57bとにより、支持ブラケット2b，2bを両側から締め付けることにより固定される。
【００５６】
図６に示す固定形態においては、図２、３に示す固定形態と同等の固定強度を得ることは難しいが、洗濯槽２の外側での操作により固定が完了するから、組立工程が簡素化されるという利点がある。
【００５７】
図７において、洗濯槽２の周壁外面の固定部位には、周方向に延びる一対の支持ブラケット2c，2cが、前後方向に間隔を隔てて対向するように設けてあり、また延長アーム53の先端部には、全幅に亘る固定片 53cが内向きに突設されている。延長アーム53は、固定片 53cと支持ブラケット2c，2cとが一致するように前後方向に位置決めし、図７中に矢符により示すように、支持ブラケット2c，2cの対向面間に固定片 53cを押し込むことにより固定される。
【００５８】
ここで、固定片 53cの幅Ｗは、支持ブラケット2c，2cの対向面間の幅ｗよりもわずかに大きくしてあり、支持ブラケット2c，2c間への固定片 53cの押し込みは、圧入によりなされ、押しみを終えた固定片 53cは、支持ブラケット2c，2c間に挾持されて抜け出し不可に拘束されるように構成してある。また支持ブラケット2c，2cの一側端部は、対向面間に架設したストッパ部2dにより連絡し、他側からなされる固定片 53cの押し込みをストッパ部2dとの当接により止めるように構成してある。
【００５９】
図７に示す固定形態においては、図６に示す固定形態と同様、図２、３に示す固定形態と同等の固定強度を得ることは難しいが、洗濯槽２の外側での操作により固定が完了する上、固定用のボルト及びナットが不要であり、組立工程が一層簡素化されるという利点がある。
【００６０】
なお、以上の実施の形態においては、回転ドラム３及び洗濯槽２が、水平面に対して傾いた姿勢で支持された洗濯機、所謂、斜めドラム式の洗濯機について説明したが、本発明は、洗濯槽２及び回転ドラム３が縦姿勢又は横姿勢に支持されたドラム式の洗濯機にも適用可能であることは言うまでもない。
【符号の説明】
【００６１】
２    洗濯槽
2b    支持ブラケット
2c    支持ブラケット
３    回転ドラム
４    ドラムモータ
５    モータホルダ
52    固定脚
53    延長アーム（延長部）
53a   補強環
58    当て板
【図１】
2011234882.tif 000003
【図２】
2011234882.tif 000004
【図３】
2011234882.tif 000005
【図４】
2011234882.tif 000006
【図５】
2011234882.tif 000007
【図６】
2011234882.tif 000008
【図７】
2011234882.tif 000009